(57)【要約】【課題】本発明は、ユーザにとって不必要な放送が、一方的に視聴中の放送に割り込んで再生される頻度を低減することを目的とする。【解決手段】上記目的を達成するために本発明の受信装置は、放送を受信する受信部３を有する受信装置１であって、この受信装置１の位置を検知する位置検知部７と、この位置検知部７が検知した受信装置１の位置に基づいて、受信装置１の移動方向を算出する移動方向算出部８と、この移動方向算出部８が算出した移動方向に基づいて、受信部３が受信した放送のうち、その一部もしくは全部を選択的に再生部６に再生させる制御部９とを有する。【選択図】図１
2007134933.tif 000002
【特許請求の範囲】
【請求項１】
放送を受信する受信部を有する受信装置であって、
この受信装置の位置を検知する位置検知部と、
この位置検知部が検知した前記受信装置の位置に基づいて、前記受信装置の移動方向を算出する移動方向算出部と、
この移動方向算出部が算出した前記移動方向に基づいて、前記受信部が受信した前記放送のうち、その一部もしくは全部を選択的に再生部に再生させる制御部と
を有する受信装置。
【請求項２】
外部から任意の地域を登録する登録部を有し、
前記制御部は、さらに、前記登録部に登録された前記任意の地域に基づいて、前記受信部が受信した前記放送のうち、その一部もしくは全部を選択的に再生部に再生させる請求項１に記載の受信装置。
【請求項３】
前記制御部は、さらに、前記位置検知部が検知した前記受信装置の移動履歴に基づいて、前記受信部が受信した前記放送のうち、その一部もしくは全部を選択的に再生部に再生させる請求項１に記載の受信装置。
【請求項４】
前記放送は、通常放送の再生中に割り込み再生される緊急放送である請求項１に記載の受信装置。
【発明の詳細な説明】
【技術分野】
【０００１】
本発明は、放送を受信する受信装置に関するものである。
【背景技術】
【０００２】
以下、従来の受信装置について説明する。テレビジョン放送やラジオ放送において、通常の放送とは別に、渋滞情報などの交通情報や警報を伝える緊急放送が存在する。従来の受信装置において、ユーザが通常の放送を聞いている間に、この緊急放送が配信されると、緊急放送が視聴中の通常の放送に割り込んで再生される。
【０００３】
なお、この出願の発明に関連する先行特許文献情報としては、例えば、特許文献１が知られている。
【特許文献１】特開平１０−１２６２９３号公報
【発明の開示】
【発明が解決しようとする課題】
【０００４】
しかしながら、上記交通情報などの緊急放送が、ユーザの移動先の地域に関する放送でない場合に、ユーザにとって不必要な放送である可能性が高い。そのため、従来の受信装置において、ユーザにとって不必要な放送が、高い頻度で、一方的に視聴中の放送に割り込んで再生されるという問題があった。
【０００５】
そこで本発明は、ユーザにとって不必要な放送が、一方的に視聴中の放送に割り込んで再生される頻度を低減することを目的とする。
【課題を解決するための手段】
【０００６】
上記目的を達成するために本発明の受信装置は、放送を受信する受信部を有する受信装置であって、この受信装置の位置を検知する位置検知部と、この位置検知部が検知した受信装置の位置に基づいて、受信装置の移動方向を算出する移動方向算出部と、この移動方向算出部が算出した移動方向に基づいて、受信部が受信した放送のうち、その一部もしくは全部を選択的に再生部に再生させる制御部とを有する。
【発明の効果】
【０００７】
上記構成において、制御部は、まず、移動方向算出部が算出した受信装置の移動方向から、受信装置の移動先の地域を割り出す。そして、制御部は、受信した緊急放送が移動先の地域に関連する放送である場合に、その緊急放送を再生部に選択的に再生させる。
【０００８】
これにより、ユーザにとって不必要な緊急放送が、一方的に視聴中の放送に割り込んで再生される頻度を低減することができる。例えば、ユーザの移動先の地域における渋滞情報を、再生部が選択的に再生するため、ユーザにとって有益な渋滞情報を効率的に提供することが可能となる。
【発明を実施するための最良の形態】
【０００９】
（実施の形態１）
以下、本発明における実施の形態１の受信装置について、図１を用いて説明する。図１は、本発明の実施の形態１における受信装置のブロック図である。
【００１０】
図１において、受信装置１は、例えば、車両に搭載されたラジオチューナである。受信装置１は、アンテナ２と、アンテナ２の出力側に接続された受信部３とを有する。さらに、この受信部３の出力側に、復調部４と信号処理部５と再生部６とがこの順に接続されている。また、受信装置１は、位置検知部７と、この位置検知部７の出力側に接続された移動方向算出部８と、この移動方向算出部８の出力側に接続された制御部９とを有する。また、この制御部９と信号処理部５とは互いに接続されている。
【００１１】
次に、受信装置１の各構成について詳細に説明する。
【００１２】
受信部３は、外部からアンテナ２を介して、ＤＡＢ（Ｄｉｇｉｔａｌ  Ａｕｄｉｏ  Ｂｒｏａｄｃａｓｔｉｎｇ）方式のデジタルラジオ放送を受信する。そして、受信部３にて受信したラジオ放送は、復調部４で復調された後、信号処理部５でデコードされ、スピーカなどの音声出力装置である再生部６により再生される。
【００１３】
位置検知部７は、例えば、ＧＰＳ（Ｇｌｏｂａｌ Ｐｏｓｉｔｉｏｎｉｎｇ Ｓｙｓｔｅｍ）受信機からなり、ある一定時間毎に受信装置１の現在位置を検知する。
【００１４】
移動方向算出部８は、位置検知部７が検出した受信装置１の位置に基づいて受信装置１の移動方向を算出する。例えば、移動方向算出部８は、受信装置１の現在位置の緯度及び経度と、受信位置１の過去に通過した地点の緯度及び経度との差から、受信装置１の移動方向を算出する。
【００１５】
制御部９は、移動方向算出部８が算出した受信装置１の移動方向に基づいて、受信部３が受信したラジオ放送のうち、その一部もしくは全部を選択的に再生部６に再生させる。
【００１６】
以下、この制御部９の動作について詳しく説明する。
【００１７】
制御部９は、まず、移動方向算出部８が算出した受信装置１の移動方向から、受信装置１の移動先の地域を割り出す。次に、制御部９は、割り出された受信装置１の移動先の地域と、デジタルラジオ放送に含まれている送信元放送局の位置を示す緯度及び経度の情報であるＴＩＩ（Ｔｒａｎｓｍｉｔｔｅｒ  Ｉｄｅｎｔｉｆｉｃａｔｉｏｎ  Ｉｎｆｏｒｍａｔｉｏｎ）とを比較する。つまり、制御部９は、デコードされた信号を信号処理部５から受け、その信号に含まれているＴＩＩを解析し、受信したラジオ放送が受信装置１の移動先の地域から送信されているか否かを判定する。さらに、制御部９は、受信したラジオ放送が受信装置１の移動先の地域から送信されていると判定した場合、そのラジオ放送を再生部６に再生させる旨の信号を信号処理部５に送信する。一方、制御部９は、受信したラジオ放送が受信装置１の移動先の地域からのものではないと判定した場合には、そのラジオ放送を再生部６に再生させない旨の信号を信号処理部５に送信する。
【００１８】
デジタルラジオ放送において、ある放送局から送信される放送は、その放送局が存在する地域に関連する放送である場合が多い。そこで、受信したラジオ放送が受信装置１の移動先の地域から送信されている場合に、制御部９が、そのラジオ放送を再生部６に再生させても良い旨の信号を出すことにより、ラジオ放送が移動先の地域に関連する放送である場合に、そのラジオ放送を再生部６によって選択的に再生することができる。
【００１９】
これにより、ユーザにとって不必要な緊急放送が、一方的に視聴中の放送に割り込んで再生される頻度を低減することができる。例えば、ユーザの移動先の地域における渋滞情報を、再生部６が選択的に再生するため、ユーザにとって有益な渋滞情報を効率的に提供することが可能となる。
【００２０】
なお、受信装置１は、ラジオチューナに限られず、テレビジョン放送を受信するチューナなどであっても良い。この場合、再生部６は、映像出力装置であり、音声放送だけでなく、例えば、データ放送などによる文字放送に対しても、上記のような選択的な再生を行う。これにより、ユーザにとって有益な緊急放送を効率的に提供することが可能となる。
【００２１】
（実施の形態２）
次に、本発明の実施の形態２について、図２を用いて説明する。なお、実施の形態１と同様の構成については、その説明を簡略化し、特徴部分について詳細に説明する。
【００２２】
実施の形態２において、実施の形態１との相違点は、図２に示されるように、登録部１０が制御部９の入力側に接続されている点である。
【００２３】
ユーザは、この登録部１０を用いて、任意の地域を登録する。例えば、この任意の地域は、ユーザの頻繁に移動する地域であり、緯度及び経度の情報からなる。
【００２４】
制御部９は、移動方向算出部８が算出した受信装置１の移動方向および登録部１０に登録された任意の地域に基づいて、受信部３が受信した放送のうち、その一部もしくは全部を選択的に再生部６に再生させる。
【００２５】
以下、本実施の形態２の受信装置１における制御部９の動作について詳しく説明する。
【００２６】
制御部９は、移動方向算出部８が算出した受信装置１の移動方向および登録部１０に登録された任意の地域とから、受信装置１の移動先の地域を割り出す。そして、制御部９は、割り出された受信装置１の移動先の地域と、前述したＴＩＩとを比較する。そして、受信中の放送が受信装置１の移動方向から送信され、かつ、送信元放送局が上記任意の地域に位置する場合、制御部９は、そのラジオ放送を再生部６に再生させる旨の信号を信号処理部５に送信する。一方、受信したラジオ放送が受信装置１の移動方向から送信されたものではない、あるいは、送信元放送局が上記任意の地域に位置しない場合には、制御部９は、そのラジオ放送を再生部６に再生させない旨の信号を信号処理部５に送信する。
【００２７】
登録部１０に登録された任意の地域は、例えば、ユーザの頻繁に行動する地域であり、この任意の地域における交通情報は、ユーザにとって有益である可能性が高い。そこで、受信したラジオ放送が受信装置１の移動方向から送信され、かつ、送信元放送局が登録部１０に登録された任意の地域に位置する場合、再生部６が受信したラジオ放送を選択的に再生することにより、ユーザにとって有益な情報をさらに効率的に提供することが可能となる。
【００２８】
なお、上記実施の形態２において、制御部９は、登録部１０に登録された任意の地域に基づいてラジオ放送を再生部６に再生させる代わりに、位置検知部７が検知した受信装置１の移動履歴に基づいて、ラジオ放送を再生部６に再生させても良い。この場合の受信装置１の構成及び動作を以下に説明する。
【００２９】
図３に示すように、受信装置１は位置検知部７の出力側であって制御部９の入力側に接続された記憶部１１を有している。記憶部１１は、位置検知部７が検知した受信装置１の移動履歴を記憶する。そして、制御部９は、記憶部１１に記憶された受信装置１の移動履歴から、受信装置１が頻繁に移動する地域を自動的に割り出す。そして、制御部９は、移動方向算出部８が算出した受信装置１の移動方向と、上記受信装置１が頻繁に移動する地域とから受信装置１の移動先の地域を割り出す。なお、制御部９のこれ以降の動作は、上記と同様である。これにより、ユーザが上記任意の地域を受信装置１に登録する手間を省略することができる。
【産業上の利用可能性】
【００３０】
本発明は、ユーザにとって有益な放送を、効率的にユーザに提供することができ、車載用受信装置、もしくは携帯端末に内蔵される受信装置として有用である。
【図面の簡単な説明】
【００３１】
【図１】本発明の実施の形態１における受信装置のブロック図
【図２】同実施の形態２における受信装置のブロック図
【図３】同実施の形態２における受信装置のブロック図
【符号の説明】
【００３２】
１  受信装置
３  受信部
６  再生部
７  位置検知部
８  移動方向算出部
９  制御部
１０  登録部
１１  記憶部
【図１】
2007134933.tif 000003
【図２】
2007134933.tif 000004
【図３】
2007134933.tif 000005